(57)【要約】【課題】  店舗の案内看板がない場所でも、また遠くにあって見えにくい場所でも、買物客が目的とする商品の販売エリアに容易に導くことができるショッピングかご、ショッピングカート、ショッピングバッグなどの店舗用商品運搬具を提供する。【解決手段】  店舗で買物をした商品をレジまで持ち運ぶために使用するショッピングかご１等の商品運搬具本体に、店舗内の売り場位置を表示した店舗案内地図標記部２を設け、店舗の案内看板がない場所でも、また遠くにあって見えにくい場所でも、店舗案内地図標記部２を見ながら、買物客が目的とする商品の販売エリアに容易に辿りつけ、目的とする商品を簡単に探すことができるようにした。【選択図】  図１
0003149424.tif 000002
【実用新案登録請求の範囲】
【請求項１】
店舗で買物をした商品をレジまで持ち運ぶために使用する商品運搬具本体に、店舗内の売り場位置を表示した店舗案内地図標記部を設けたことを特徴とする店舗用商品運搬具。
【請求項２】
請求項１に記載の店舗用商品運搬具において、上記の商品運搬具本体が、ショッピングかご、ショッピングカート、ショッピングバッグから選択される何れかであることを特徴とする店舗用商品運搬具。
【請求項３】
請求項１又は請求項２記載の店舗用商品運搬具において、上記の店舗案内地図標記部を、店舗案内地図標記を印刷したラベルを商品運搬具本体に貼付して設けたことを特徴とする店舗用商品運搬具。
【請求項４】
請求項１〜請求項３の何れか１項に記載の店舗用商品運搬具において、上記の店舗案内地図標記部の地図標記が、商品カテゴリーごとに色分けした店舗内フロアと同色に色分けされたエリア図及び各商品カテゴリーの品目名とピクトグラムとを含むことを特徴とする店舗用商品運搬具。
【考案の詳細な説明】
【技術分野】
【０００１】
この考案は、スーパーマーケットやホームセンターなどの店舗で買物客が、買物をした商品をレジまで持ち運ぶために使用するショッピングかご、ショッピングカート、ショッピングバッグなどの店舗用商品運搬具に関するものである。
【背景技術】
【０００２】
従来より、スーパーマーケットやホームセンターなどの大型店舗には、店舗で買物客が、買物をした商品をレジまで持ち運ぶために使用するショッピングかご、ショッピングカート、ショッピングバッグなどが備え付けられている。
【０００３】
また、従来においては、特許文献１において、上記のようなショッピングかご、ショッピングカート、ショッピングバッグなどに、店舗内の商品情報などを買物客に提供するために、買物情報を表示する表示部を設けたものが開示されている。
【先行技術文献】
【特許文献】
【０００４】
【特許文献１】特開２００１−３３４９４０号公報
【考案の概要】
【考案が解決しようとする課題】
【０００５】
ところが、スーパーマーケットやホームセンターなどの大型店舗には、多種多様な商品があり、ショッピングかご、ショッピングカート、ショッピングバッグなどに、上記のような買物情報を表示していても、その商品が店内のどこに置いてあるのかが分かりづらい。
【０００６】
また、現在の多くの店舗では吊り下げタイプの品目案内表示を採用しているが、遠くからでは文字が見えにくいし、場所によっては案内表示が見えづらい場合も多い。
【０００７】
そこで、この考案は、店舗の案内看板がない場所でも、また遠くにあって見えにくい場所でも、買物客を目的とする商品の販売エリアに容易に導くことができるショッピングかご、ショッピングカート、ショッピングバッグなどの店舗用商品運搬具を提供することを課題とするものである。
【課題を解決するための手段】
【０００８】
この考案における店舗用商品運搬具においては、上記のような課題を解決するために、スーパーマーケットやホームセンターなどの店舗で買物客が、買物をした商品をレジまで持ち運ぶために使用するショッピングかご、ショッピングカート、ショッピングバッグなどの商品運搬具本体に、店舗内の売り場位置を表示した店舗案内地図標記部を設けたのである。
【０００９】
ここで、上記の商品運搬具本体に店舗案内地図標記部を設けるにあたっては、商品運搬具本体に、店舗案内地図標記を印刷したラベルを貼付して設けるようにしたり、商品運搬具本体の適当な位置に店舗案内地図標記を直接印刷して設けるようにしたりすることができる。なお、店舗案内地図標記を印刷したラベルを商品運搬具本体に、貼付させるようにすると、店舗の改装などにより売り場を模様替えした場合においても、店舗案内地図標記を変更させたラベルに張り替えることにより容易に対応することができる。
【００１０】
また、店舗案内地図標記部の地図標記には、商品カテゴリーごとに色分けした店舗内フロアと同色に色分けされたエリア図及び各商品カテゴリーの品目名とピクトグラムとを含めることが望ましい。なお、ピクトグラムとは、一般に「絵文字」「絵単語」などと呼ばれ、何らかの情報や注意を示すために表示される視覚記号（サイン）の一つであり、この考案の店舗案内地図標記においては、例えば、野菜、果物売り場では、野菜や果物の絵を、鮮魚、寿司売り場では、魚の絵を、精肉、加工肉の売り場では牛の絵などを表わすことができる。
【考案の効果】
【００１１】
この考案における店舗用商品運搬具においては、買物客が店舗内で持ち運ぶショッピングかご、ショッピングカート、ショッピングバッグなどの商品運搬具本体に、店舗内の売り場位置を表示した店舗案内地図標記部を設けてあるので、買物客は、店舗の案内看板がない場所でも、また遠くにあって見えにくい場所でも、店舗案内地図標記部を見ながら、目的とする商品の販売エリアに容易に辿りつけ、目的とする商品を簡単に探すことができる。
【００１２】
また、店舗案内地図標記部の地図標記に、商品カテゴリーごとに色分けした店舗内フロアと同色に色分けされたエリア図及び各商品カテゴリーの品目名とピクトグラムとを含めることにより、色彩と品目のピクトグラムによってお年寄りや子供でも、目的とする商品売り場に誘導することができる。
【００１３】
そして、各商品カテゴリーの品目名とピクトグラムとが標記されると共に各商品カテゴリーの商品陳列フロアに付与された色彩と同じ色彩を有する吊り下げ表示（タペストリー表示）や、通路上へのフロア表示とともに、上記の本考案の店舗用商品運搬具を用いるようにすると、本考案における上記の効果がさらに顕著になる。
【図面の簡単な説明】
【００１４】
【図１】この考案の第１実施形態に係る店舗用商品運搬具を示し、商品運搬具本体であるショッピングかごに店舗案内地図標記部を設けた状態を示した斜視図である。
【図２】この考案の第２実施形態に係る店舗用商品運搬具を示し、商品運搬具本体であるショッピングカートに店舗案内地図標記部を設けた状態を示した斜視図である。
【図３】この考案の第３実施形態に係る店舗用商品運搬具を示し、商品運搬具本体であるショッピングバッグに店舗案内地図標記部を設けた状態を示した斜視図である。
【図４】上記の実施形態１〜３の店舗用商品運搬具において、商品運搬具本体に貼付される店舗案内地図標記部を印刷したラベルの例を示した平面図である。
【考案を実施するための形態】
【００１５】
この考案の実施形態に係る店舗用商品運搬具を添付図面に基づいて具体的に説明する。なお、この考案に係る店舗用商品運搬具は、特に下記の実施形態に示したものに限定されるものではなく、その要旨を変更しない範囲において適宜変更して実施できるものである。
【００１６】
図１は、商品運搬具本体であるショッピングかご１に、店舗案内地図標記部２を設けた第１実施形態を示している。
【００１７】
ここで、上記のショッピングかご１は、かご本体３と手提げ部４とからなり、かご本体３の外側面にラベル５を貼付する平坦部６を設けている。
【００１８】
そして、この第１実施形態においては、上記のショッピングかご１に店舗案内地図標記部２を設けるにあたり、かご本体３の外側面に設けた上記の平坦部６に、店舗案内地図標記を印刷したラベル５を貼付させている。
【００１９】
なお、この第１実施形態では、店舗案内地図標記を印刷したラベル５を、かご本体３の外側面に設けた平坦部６に貼付するようにしたが、使用者が見やすい位置であれば、かご本体３の内側面や内底面に貼付するようにしてもよい。
【００２０】
図２は、商品運搬具本体であるショッピングカート７に、店舗案内地図標記部２を設けた第２実施形態を示している。
【００２１】
ここで、上記のショッピングカート７は、車輪８ａの付いた車体フレーム８に、上，下に２段の置き台９、１０が設けられると共に、手押しグリップ１１が設けられている。
【００２２】
そして、この第２実施形態においては、上記のショッピングカート７に店舗案内地図標記部２を設けるにあたり、ショッピングカート７の上段に位置する置き台９の背面部の内側の面に、店舗案内地図標記を印刷したラベル５を貼付させている。
【００２３】
なお、この第２実施形態では、店舗案内地図標記を印刷したラベル５を、ショッピングカート７の上段に位置する置き台９の背面部の内側の面に貼付させるようにしたが、上記のラベル５を上段に位置する置き台９の背面部の外側の面等に貼付させるようにすることもできる。
【００２４】
図３は、商品運搬具本体であるショッピングバッグ１２に、店舗案内地図標記部２を設けた第３実施形態を示している。
【００２５】
ここで、上記のショッピングバッグ１２は、袋本体１３と手提げ部１４とからなる。なお、上記の袋本体１３の材質は、合成樹脂製でも布製でもよい。
【００２６】
そして、この第３実施形態においては、上記のショッピングバッグ１２に店舗案内地図標記部２を設けるにあたり、上記の袋本体１３の側面に店舗案内地図標記を印刷したラベル５を貼付させている。
【００２７】
ここで、上記の第１〜第３実施形態において使用する店舗案内地図標記を印刷したラベル５を図４に示している。
【００２８】
そして、このラベル５には、商品カテゴリーごとに色分けした店舗内のフロアと同色に色分けされたＡ〜Ｈのエリア図、各商品カテゴリーの品目名とピクトグラムとの他、入口位置、レジの位置、サービスカウンター、営業時間、店舗名などが印刷されている。
【００２９】
ここで、Ａ〜Ｈのエリア図において、Ａエリアには、野菜、果物の品目名と品目のピクトグラム、Ｂエリアには、鮮魚、寿司の品目名と品目のピクトグラム、Ｃエリアには、精肉、加工肉の品目名と品目のピクトグラム、Ｄエリアには、乳製品、デザート、ピザの品目名と品目のピクトグラム、Ｅエリアには、冷凍食品、アイス、卵の品目名と品目のピクトグラム、Ｆエリアには、加工食品、調味料、乾麺の品目名と品目のピクトグラム、Ｇエリアには、生活雑貨、カップ麺、豆製品、米の品目名と品目のピクトグラム、Ｈエリアには、飲料、酒、菓子、惣菜の品目名と品目のピクトグラムをそれぞれ配置している。なお、上記のラベル５を示す図においては、各エリアをハッチングによって表示しているが、実際には野菜、果物売り場を示すＡエリアは緑色、精肉、加工肉の売り場を示すＣエリアは赤色というように、それぞれ色分け表示している。
【００３０】
なお、上記のように店舗内のフロアを色分けすることにより、カテゴライズが明確になり、買物客を目的の商品があるエリアへと案内することができる。
【符号の説明】
【００３１】
１  ショッピングかご（商品運搬具本体）
２  店舗案内地図標記部
３  かご本体
４  手提げ部
５  ラベル
６  平坦部
７  ショッピングカート（商品運搬具本体）
８  車体フレーム
８ａ  車輪
９、１０  置き台
１１  手押しグリップ
１２  ショッピングバッグ（商品運搬具本体）
１３  袋本体
１４  手提げ部
【図１】
0003149424.tif 000003
【図２】
0003149424.tif 000004
【図３】
0003149424.tif 000005
【図４】
0003149424.tif 000006